(57)【要約】【課題】ハーネスを固定するためのハーネス巻付けバンドをバンドロック本体に対して双方向から挿入し得ることのできるハーネス取付け用クリップを提供することを目的とする。【解決手段】連続した鋸歯状の係止溝５を有したハーネス巻付けバンド１と、このハーネス巻付けバンドを一方向または他方向から挿入させる双方向挿入可能な挿入孔６と、挿入孔の一方の開口端部６Ａに座面下部７から座面上部８に向かって突出し係止溝と係合する第１係止爪９と、挿入孔の他方の開口端部６Ｂに座面上部８から座面下部７に向かって突出し前記係止溝と係合する第２係止爪１０と、座面上部８の中央部付近まで形成されたスリット１１によってシーソー可動が可能な第１、２可動片部１２、１３と、からなるバンドロック本体２と、このバンドロック本体２に設けられ、車体パネル１５に挿入固定されるクリップ部３と、を備える。【選択図】図１
2008092732.tif 000002
【特許請求の範囲】
【請求項１】
連続した鋸歯状の係止溝を有したハーネス巻付けバンドと、
前記ハーネス巻付けバンドを一方向または他方向から挿入させる双方向挿入可能な挿入孔と、挿入孔の一方の開口端部に座面下部から座面上部に向かって突出し前記係止溝と係合する第１係止爪と、挿入孔の他方の開口端部に座面上部から座面下部に向かって突出し前記係止溝と係合する第２係止爪と、この第２係止爪が設けられ、前記座面上部に、前記一方の開口端部から前記座面上部の中央部付近まで形成されたスリットと、前記他方の開口端部から前記中央部付近まで形成されたスリットとによってシーソー可動が可能な可動片部と、からなるバンドロック本体と、
前記バンドロック本体に設けられ、被取付け部に挿入固定されるクリップ部と、を備えた
ことを特徴とするハーネス取付け用クリップ。
【請求項２】
請求項１に記載のハーネス取付け用クリップであって、
前記可動片部は、一端に第２係止爪を有した第１可動片部と、他端に爪を有しない第２可動片部と、を備え、
これら第１可動片部と第２可動片部がシーソー可動可能となる
ことを特徴とするハーネス取付け用クリップ。
【発明の詳細な説明】
【技術分野】
【０００１】
本発明は、ハーネス取付け用クリップに関し、詳細には、ハーネスを固定するためのハーネス巻付けバンドをバンドロック本体に対して双方向から挿入し得るようにした技術に関する。  
【背景技術】
【０００２】
ワイヤハーネスを自動車に配索するために使用されるワイヤハーネス取付用バンドとしては、例えば、特許文献１に記載された構造のものが提案されている。
【０００３】
かかる特許文献１に記載されたワイヤハーネス取付用バンドは、ワイヤハーネスの外周に巻き付けたバンド本体の先端を、該バンド本体の他端に設けたバンドロック部の挿通穴に挿入させて該バンド本体をロックさせ、そのバンドロック部から突設させたクリップ部を車体パネルに挿入させることで固定させている。
【０００４】
このワイヤハーネス取付用バンドにおいては、バンド本体の一面には鋸歯状の係止溝を形成し、バンドロック部には前記係止溝と係合する係止爪を挿入穴の天面から底面に向けて設け、前記係止溝に前記係止爪を係合させることにより、バンド本体をバンドロック部に固定させている。
【特許文献１】特開２０００−２７０４４８号公報
【発明の開示】
【発明が解決しようとする課題】
【０００５】
しかしながら、特許文献１に記載のワイヤハーネス取付用バンドでは、バンド側の山（係止溝）及びバンドロック部側の山（係止爪）が何れも片側にしかないため、バンド本体の前記バンドロック部に対する挿入方向が一方向からでないとバンド本体をバンドロック部にロックすることができない不便さがある。
【０００６】
また、特許文献１に記載のワイヤハーネス取付用バンドでは、車体パネルに形成された穴に対してワイヤハーネスの固定位置を真上にしかセットすることができないため、そのワイヤハーネスの固定位置を真上からオフセットした位置にセットするには、別のクリップを作製する必要がある。
【０００７】
そこで、本発明は、ハーネスを固定するためのハーネス巻付けバンドをバンドロック本体に対して双方向から挿入し得ることのできるハーネス取付け用クリップを提供することを目的とする。
【課題を解決するための手段】
【０００８】
本発明に係るハーネス取付け用クリップは、連続した鋸歯状の係止溝を有したハーネス巻付けバンドと、前記ハーネス巻付けバンドを一方向または他方向から挿入させる双方向挿入可能な挿入孔と、挿入孔の一方の開口端部に座面下部から座面上部に向かって突出し前記係止溝と係合する第１係止爪と、挿入孔の他方の開口端部に座面上部から座面下部に向かって突出し前記係止溝と係合する第２係止爪と、この第２係止爪が設けられ、前記座面上部に、前記一方の開口端部から前記座面上部の中央部付近まで形成されたスリットと、前記他方の開口端部から前記中央部付近まで形成されたスリットとによってシーソー可動が可能な可動片部と、からなるバンドロック本体と、前記バンドロック本体に設けられ、被取付け部に挿入固定されるクリップ部と、を備え。
【発明の効果】
【０００９】
本発明のハーネス取付け用クリップによれば、ハーネス巻付けバンドをバンドロック本体に形成した挿入孔に挿入すると、可動片部がシーソーのように可動し、片側が上がり他方が下がることにで、ハーネス巻付けバンドに形成された係止溝にバンドロック本体に形成された第１係止爪または第２係止爪が係合し、前記ハーネス巻付けバンドをバンドロック本体に対して強固に固定させることができる。したがって、このハーネス取付け用クリップによれば、ハーネスを確実に固定させて被取付け部に固定させることが可能となる。
【００１０】
また、本発明のハーネス取付け用クリップによれば、ハーネス取付け用クリップをバンドロック本体の挿入孔に双方向から挿入させて固定させることができるので、ハーネスをバンドロック本体の真上でロックさせることもバンドロック本体の真上からオフセットした位置でロックさせることもできる。
【発明を実施するための最良の形態】
【００１１】
以下、本発明を適用した具体的な実施の形態について図面を参照しながら詳細に説明する。
【００１２】
「ハーネス取付け用クリップの構成」
図１は本実施の形態のハーネス取付け用クリップの斜視図、図２は本実施の形態のハーネス取付け用クリップの断面図、図３は図２のＡ−Ａ線断面図、図４は本実施の形態のハーネス取付け用クリップのバンドロック本体を示す斜視図、図５（Ａ）は図２の要部拡大断面図、図５（Ｂ）はそのときの可動片部の状態を示す要部拡大断面図、図６（Ａ）はハーネス巻付けバンドを図１とは別の方向から挿入したときのハーネス取付け用クリップの断面図、図６（Ｂ）はそのときの可動片部の状態を示す要部拡大断面図である。
【００１３】
本実施の形態のハーネス取付け用クリップは、図１から図３に示すように、ワイヤハーネスを巻き付けるハーネス巻付けバンド１と、このハーネス巻付けバンド１を挿入させてワイヤハーネスを固定させるバンドロック本体２と、このバンドロック本体２を被取付け部に挿入固定させるクリップ部３と、からなる。
【００１４】
ハーネス巻付けバンド１は、ワイヤハーネスの直径に対して十分に対応できる全長を有しており、薄肉とされた連結部４を介してバンドロック本体２に一体的に設けられている。このハーネス巻付けバンド１の一面１ａには、連続した鋸歯状の係止溝５が形成されている。図１では、断面形状を三角形状とした係止溝５を内面に所定間隔を置いて基端側から先端側に連続して複数形成している。
【００１５】
バンドロック本体２は、図４及び図５に示すように、平面視略矩形状をなす筐体として形成され、ハーネス巻付けバンド１を一方向または他方向から挿入させる双方向挿入可能な挿入孔６と、その挿入孔６の一方の開口端部６Ａに座面下部７から座面上部８に向かって突出し前記係止溝５と係合する第１係止爪９と、その挿入孔６の他方の開口端部６Ｂに座面上部８から座面下部７に向かって突出し前記係止溝５と係合する第２係止爪１０と、この第２係止爪１０が設けられ、座面上部８に、一方の開口端部から前記座面上部８の中央部付近まで形成されたスリット１１と、他方の開口端部から前記中央部付近まで形成されたスリット１１とによってシーソー可動が可能な第１可動片部１２と第２可動片部１３とからなる。
【００１６】
挿入孔６は、バンドロック本体２の一端側から他端側に亘ってハーネス巻付けバンド１を挿通させる貫通孔として形成されている。この挿入孔６には、ハーネス巻付けバンド１が一方の開口端部６Ａと他方の開口端部６Ｂから挿入されるようになされている。
【００１７】
第１係止爪９は、座面下部７から座面上部８に向かって突出し、その挿入孔６の開口を狭めるように該挿入孔６の一方の開口端部６Ａに設けられている。一方、第２係止爪１０は、座面上部８から座面下部７に向かって突出し、その挿入孔６の開口を狭めるように該挿入孔６の他方の開口端部６Ｂに設けられている。これら第１係止爪９及び第２係止爪１０は、何れもハーネス巻付けバンド１に形成された係止溝５に嵌合する傾斜面と垂直面とからなる三角形状をなす突起として形成されている。
【００１８】
第１可動片部１２は、他方の開口端部６Ｂから座面上部８の中央部付近まで切り込まれたスリット１１によって形成されており、その自由端となる先端部に第２係止爪１０を突設させている。第２可動片部１３は、一方の開口端部６Ａから座面上部８の中央部付近まで切り込まれたスリット１１によって形成されており、その自由端となる先端部には爪は設けられていない。これら第１可動片部１２及び第２可動片部１３は、ハーネス巻付けバンド１が挿入孔６より挿入されることによって座面上部８のスリット１１により切り欠かれていない部位１４を支点としてシーソー可動可能となる。
【００１９】
クリップ部３は、バンドロック本体２を被取付け部である車体パネル１５に形成された孔部１６に挿入させて固定する挿入部１７と、この挿入部１７の上部に設けられる傘形状をなすフランジ部１８と、からなる。挿入部１７は、車体パネル１５の孔部１６に挿入されることで、前記バンドロック本体２を当該車体パネル１５に固定させる。フランジ部１８は、前記挿入部１７が挿入された孔部１６を覆うようになっている。
【００２０】
「ハーネス取付け用クリップの使用形態」
次に、上述のように構成されたハーネス取付け用クリップを使用してワイヤハーネスを車体パネル１５に固定する使用形態について説明する。
【００２１】
先ず、図１及び図２に示すように、クリップ部３を車体パネル１５の孔部１６に挿入し固定させる。次に、係止溝５を内側にしてハーネス巻付けバンド１を丸め、このハーネス巻付けバンド１でワイヤハーネス（図示は省略する）を巻き付ける。次に、ワイヤハーネスを巻き付けたハーネス巻付けバンド１の先端部を、バンドロック本体２の一方の開口端部６Ａからその挿入孔６へと差し込む。
【００２２】
すると、この開口端部６Ａには、座面下部７から座面上部８に向かって突出する第１係止爪９が設けられているため、ハーネス巻付けバンド１がこの第１係止爪９にぶつかって上へと押し上げられる。これに伴って、第２可動片部１３が、図５（Ｂ）中矢印Ａで示す上へと押し上げられる。また、これに伴って、第１可動片部１２が、図５（Ｂ）中矢印Ｂで示す下へと押し下げられ、これら第１可動片部１２及び第２可動片部１３は、全体から見るとシーソー可動する。なお、第２可動片部１３の先端には突起が形成されておらず平らであることから、第１可動片部１２が下へ押し下げられると、この第１可動片部１２の先端部に設けた第２係止爪１０がハーネス巻付けバンド１の係止溝５に係合する。この第２係止爪１０が係止溝５に係合することで、ワイヤハーネスは、ハーネス巻付けバンド１によってきつく巻き付けられることになる。
【００２３】
以上がクリップ部３の真上にワイヤハーネスを固定する使用形態であるが、クリップ部３の真上から横にオフセットさせてワイヤハーネスを固定する使用形態とするには、図６に示すように、係止溝５を外側にしてハーネス巻付けバンド１を丸め、このハーネス巻付けバンド１でワイヤハーネスを巻き付ける。そして、ワイヤハーネスを巻き付けたハーネス巻付けバンド１の先端部を、前記バンドロック本体２の他方の開口端部６Ｂからその挿入孔６へと差し込む。
【００２４】
すると、この開口端部６Ｂには、座面上部８から座面下部７に向かって突出する第２係止爪１０が設けられているため、ハーネス巻付けバンド１がこの第２係止爪１０にぶつかって第１可動片部１２を、図６（Ｂ）中矢印Ａで示す上へと押し上げる。すると、これに伴って、第２可動片部１３が、図６（Ｂ）中矢印Ｂで示す下へと押し下げられ、これら第１可動片部１２及び第２可動片部１３は、全体から見るとシーソー可動する。その結果、この第２可動片部１３にハーネス巻付けバンド１が下方へと押し付けられ、前記第１係止爪９に前記係止溝５が係合する。この第１係止爪９が係止溝５に係合することで、ワイヤハーネスは、ハーネス巻付けバンド１によってきつく巻き付けられることになる。
【００２５】
「実施の形態の効果」
本実施の形態のハーネス取付け用クリップによれば、ハーネス巻付けバンド１をバンドロック本体２に形成した挿入孔６に挿入すると、第１、２可動片部１２、１３（可動片部）がシーソーのように可動し、片側が上がり他方が下がることにで、ハーネス巻付けバンド１に形成された係止溝５にバンドロック本体２に形成された第１係止爪９または第２係止爪１０が係合し、前記ハーネス巻付けバンド１をバンドロック本体２に対して強固に固定させることができる。したがって、このハーネス取付け用クリップによれば、ハーネスを確実に固定させて車体パネル１５（被取付け部）に固定させることが可能となる。
【００２６】
また、本実施の形態のハーネス取付け用クリップによれば、ハーネス取付け用クリップをバンドロック本体２の挿入孔６に双方向から挿入させて固定させることができるので、ハーネスをバンドロック本体２の真上でロックさせることもバンドロック本体２の真上からオフセットした位置でロックさせることもできる。
【００２７】
以上、本発明を適用した具体的な実施の形態について説明したが、上述の実施の形態は、本発明の一例に過ぎず、前記した実施の形態に制限されることはない。
【図面の簡単な説明】
【００２８】
【図１】本実施の形態のハーネス取付け用クリップの斜視図である。
【図２】本実施の形態のハーネス取付け用クリップの断面図である。
【図３】図２のＡ−Ａ線断面図である。
【図４】本実施の形態のハーネス取付け用クリップのバンドロック本体を示す斜視図である。
【図５】図５（Ａ）は図２の要部拡大断面図、図５（Ｂ）はそのときの可動片部の状態を示す要部拡大断面図である。
【図６】図６（Ａ）はハーネス巻付けバンドを図１とは別の方向から挿入したときのハーネス取付け用クリップの断面図、図６（Ｂ）はそのときの可動片部の状態を示す要部拡大断面図である。
【符号の説明】
【００２９】
１…ハーネス巻付けバンド
２…バンドロック本体
３…クリップ部
５…係止溝
６…挿入孔
６Ａ…挿入孔の一方の開口端部
６Ｂ…挿入孔の他方の開口端部
９…第１係止爪
１０…第２係止爪
１１…スリット
１２…第１可動片部
１３…第２可動片部
１５…車体パネル（被取付け部）
１６…車体パネルに形成された孔部
【図１】
2008092732.tif 000003
【図２】
2008092732.tif 000004
【図３】
2008092732.tif 000005
【図４】
2008092732.tif 000006
【図５】
2008092732.tif 000007
【図６】
2008092732.tif 000008